(57)【要約】【課題】本発明は、ランプの全長が長いものであっても、作業性良くパイプをランプに装着できる照明装置を提供する。【解決手段】保護部材１５は、第１パイプ３０、第２パイプ３１、連結パッキン３２及びパッキン３３、３３とを備えている。連結パッキン３２は、第１、第２パイプ３０、３１の端部３０ｂ、３１ｂが収納される第１、第２収納部４０、４１が形成されている。またさらに連結パッキン３２は、ランプ１３の外周部と近接ないし密接する中間凸部４２が一体で形成されている。実施形態によれば、第１、第２パイプ３０、３１をランプ１３の異なる端部方向から別々にランプ１３に設けることができるので、保護部材１５の取付作業を容易にすることができる。【選択図】図３
2005056773.tif 000002
【特許請求の範囲】
【請求項１】
対をなすソケットを備えた器具本体と；
ソケット間に取り付けられる直管形の蛍光ランプであるランプと；
一方のソケットからランプの略中央部までの長さを有し、ランプの発光管をこの発光管から離間して覆う透光性を有する第１パイプと；
他方のソケットからランプの略中央部までの長さを有し、ランプの発光管をこの発光管から離間して覆う透光性を有する第２パイプと；
第１パイプのソケット側の端部とランプとに密着して設けられるパッキンと；
第２パイプのソケット側の端部とランプとに密着して設けられるパッキンと；
第１パイプの外周面に密着し、かつ、第１パイプのソケット側とは反対側の端部を収納する第１収納部と、第２パイプの外周面に密着し、かつ、第２パイプのソケット側と反対側の端部を収納する第２収納部と、第１収納部と第２収納部との中間部であってランプの外周部と近接ないし密接する中間凸部とを有し、第１パイプと第２パイプとの各々のソケット側とは反対側の端部に設けられる連結パッキンと；
を具備していることを特徴とする照明装置。
【発明の詳細な説明】
【技術分野】
【０００１】
本発明は、ランプを覆うパイプを有する照明装置に関する。
【背景技術】
【０００２】
従来、例えば、直管形の蛍光ランプを透光性を有するパイプで覆って保温や水を図った構成が知られている。そして、このような構成において、単なる円筒状のパイプの内側に蛍光ランプを挿入する構成では、パイプと蛍光ランプとの間に隙間があり、これらパイプと蛍光ランプとの位置が固定されず、パイプに挿入した蛍光ランプを照明器具に着脱する作業が煩雑になる問題を有している。
【０００３】
この点、例えば特許文献１にに示されるように、パイプの両端部に弾性体を素材とする筒状のパッキンを装着し、パイプと蛍光ランプとを位置決めする構成が知られている。この構成では、パッキンは、パイプの内周部と蛍光ランプの口金部の外周部との間に嵌合するとともに、一部はパイプの外形より外周側に突出するようになっている。
【特許文献１】特開２００３−１０９４０９号公報
【発明の開示】
【発明が解決しようとする課題】
【０００４】
しかしながら、上記の背景技術は、蛍光ランプの全長が長いものになるとパイプの全長も長いものになってしまうので、単にパイプの両端にパッキンを設けるだけの構成であると、パイプをランプに取り付ける作業が煩雑になる虞がある。
【０００５】
また、パイプの全長が長くなってしまうことで、パイプの自重により、パイプの中央部側がパイプの端部側よりも垂れ下がりやすくなってしまい、蛍光ランプとパイプとの間隔が無くなってしまう虞や、パイプの撓みによる蛍光ランプへの過負荷をかける虞があり、好ましいものではなかった。
【０００６】
本発明は、このような点に鑑みなされたもので、ランプの全長が長いものであっても、作業性良くパイプをランプに装着できる照明装置を提供することを目的とする。
【課題を解決するための手段】
【０００７】
請求項１記載の照明装置は、対をなすソケットを備えた器具本体と；ソケット間に取り付けられる直管形の蛍光ランプであるランプと；一方のソケットからランプの略中央部までの長さを有し、ランプの発光管をこの発光管から離間して覆う透光性を有する第１パイプと；他方のソケットからランプの略中央部までの長さを有し、ランプの発光管をこの発光管から離間して覆う透光性を有する第２パイプと；第１パイプのソケット側の端部とランプとに密着して設けられるパッキンと；第２パイプのソケット側の端部とランプとに密着して設けられるパッキンと；第１パイプの外周面に密着し、かつ、第１パイプのソケット側とは反対側の端部を収納する第１収納部と、第２パイプの外周面に密着し、かつ、第２パイプのソケット側と反対側の端部を収納する第２収納部と、第１収納部と第２収納部との中間部であってランプの外周部と近接ないし密接する中間凸部とを有し、第１パイプと第２パイプとの各々のソケット側とは反対側の端部に設けられる連結パッキンと；を具備していることを特徴とする。
【０００８】
そして、本発明は、連結パッキンをランプに通すとともにランプの略中央部付近に連結パッキンを配置する。そして、ランプの一方の端部側からランプを覆うように第１パイプを挿入して、連結パッキンの第１収納部に収納するとともにランプの端部に第１パイプのパッキンが位置するように設ける。さらに、ランプの他方の端部側からランプを覆うように第２パイプを挿入して、連結パッキンの第２収納部に収納するとともにランプの端部に第２パイプのパッキンが位置するように設けることで、ランプに第１パイプおよび第２パイプが取付られる。
【０００９】
なお、第１パイプ、第２パイプおよび連結パッキンを設けた状態のものとランプとは略同等の長さを有するものである。
【００１０】
本発明によれば、連結パッキンを設けたことにより、ランプが長尺のものであっても第１パイプおよび第２パイプを別々に設けることができるので、パイプの取付作業が低下することを抑制することができる。
【００１１】
さらに、連結パッキンは、第１収納部、第２収納部および中間凸部とを設けたことにより、各々パイプが撓むことを抑制しており、ランプが長尺であってもランプとパイプとの間の空間を保持しつつ、ランプにパイプの撓みによる過負荷を防止することができる。
【発明の効果】
【００１２】
請求項１記載の照明装置によれば、対をなすソケットを備えた器具本体と；ソケット間に取り付けられる直管形の蛍光ランプであるランプと；一方のソケットからランプの略中央部までの長さを有し、ランプの発光管をこの発光管から離間して覆う透光性を有する第１パイプと；他方のソケットからランプの略中央部までの長さを有し、ランプの発光管をこの発光管から離間して覆う透光性を有する第２パイプと；第１パイプのソケット側の端部とランプとに密着して設けられるパッキンと；第２パイプのソケット側の端部とランプとに密着して設けられるパッキンと；第１パイプの外周面に密着し、かつ、第１パイプのソケット側とは反対側の端部を収納する第１収納部と、第２パイプの外周面に密着し、かつ、第２パイプのソケット側と反対側の端部を収納する第２収納部と、第１収納部と第２収納部との中間部であってランプの外周部と近接ないし密接する中間凸部とを有し、第１パイプと第２パイプとの各々のソケット側とは反対側の端部に設けられる連結パッキンと；を具備していることにより、ランプが長尺のものであっても第１パイプおよび第２パイプを別々に設けることができるので、パイプの取付作業が低下することを抑制することができる。
【００１３】
さらに、連結パッキンは、第１収納部、第２収納部および中間凸部とを設けたことにより、各々パイプが撓むことを抑制しており、ランプが長尺であってもランプとパイプとの間の空間を保持しつつ、ランプにパイプの撓みによる過負荷を防止することができる。
【発明を実施するための最良の形態】
【００１４】
以下、本発明の一実施形態を図面を参照して説明する。
【００１５】
図１は本実施形態の照明装置の斜視図であり、図２は同上照明装置の一部を切り欠いた側面図であり、図３は同上連結パッキン、第１・２パイプおよびランプを示した要部拡大図であり、図４は同上連結パッキンを示す断面図であり、図５は同上パッキンを示す斜視図である。
【００１６】
図において、１１は照明装置で、この照明装置１１は、器具本体１２と、この器具本体１２に取り付けられるランプ１３、保護部材１５を備えている。そして器具本体１２は、天井面などの被設置部に取り付けられるシャーシ１６と、このシャーシ１６に収納されたインバータ回路や口金台などの電気部品と、シャーシ１６の両端部に取り付けられた一対のソケット１８とを備えている。また、これらソケット１８は、防湿あるいは防雨などの機能を有する防水用ランプソケットすなわちいわゆる防水ソケットで、シャーシ１６に固定されるソケット本体１９と、このソケット本体１９にねじ込みなどして取り付けられる円筒状のキャップ部２０と、これらソケット本体１９とキャップ部２０との間に挟まれるゴムパッキング及びスリップリングなどを備えている。また、ランプ１５は、２５mm径の直管形であって、全長２４００ｍｍの蛍光ランプであり直管状のガラス管である発光管２２と、この発光管２２の両端部に位置する金属製の口金部２３とを備えている。そして、各口金部２３は、発光管２２より径寸法が若干小さく形成されているとともに、両端部から一対の図示しない口金ピンが突設されている。
【００１７】
そして、保護部材１５は、蛍光灯被覆装置とも呼びうるもので、第１パイプ３０、第２パイプ３１、連結パッキン３２及び第１、２パイプ３０、３１のソケット１８側端部に取り付けられたパッキン３３、３３とを備えている。なお、保護部材１５はランプ１３の一対の口金間と略同じ長さで構成されている。
【００１８】
第１、第２パイプ３０、３１は、チューブとも呼ばれるもので、透光性を有する素材、例えば、透明なポリカーボネート製で内側にランプ１３を収納可能な円筒状に形成されている。そして、この第１、第２パイプ３０、３１の内径寸法は、ランプ１３の外径寸法すなわち発光管２２の外形寸法よりも大きくなるように形成されている。
【００１９】
パッキン３３は、図５に示すように、キャップあるいはパイプキャップとも呼ばれるもので、弾性変形可能な素材、例えば、シリコンにより、円筒状をなす本体部３５を含む全体が一体に形成されている。
【００２０】
そして、本体部３５の内周面部３５ａからは、軸方向に沿った一端部近傍から、内周側に向かい、断面半円状の内側突部３６が周方向に連続してすなわち全周に円環状をなして突設されている。さらに、本体部３５の外周面部３５ｂの他端部からは、外周側に向かい、係止突部３９が周方向に連続してすなわち全周に円環状をなして突設されている。また、この係止突部３９の突出寸法は、第１、第２パイプ３０、３１の厚さ寸法と同等か、この第１、第２パイプ３０、３１の厚さ寸法より小さく形成されている。
【００２１】
連結パッキン３２は、図４に示すように、第１パイプ３０の外周面３０ａが密着し、その第１パイプ３０のソケット１８側とは反対側である端部３０ｂが収納される第１収納部４０が形成されている。
【００２２】
また連結パッキン３２は、第２パイプ３１の外周面３１ａが密着し、その第２パイプ３１のソケット１８側とは反対側である端部３１ｂが収納される第２収納部４１が形成されている。
【００２３】
またさらに連結パッキン３２は、第１収納部４０、第２収納部４１および第１収納部４０と第２収納部４１との中間であってランプ１３の外周部と近接ないし密接する中間凸部４２が一体で形成されている。
【００２４】
本実施形態の保護部材１５および保護部材１５とランプ１３との取付について図３を用いて説明する。なお、図３の（ａ）は取付過程をしめす要部拡大断面図であり、（ｂ）は取付状態を示す要部拡大断面図である。
【００２５】
まず、連結パッキン３２の中間凸部４２の内側にランプ１３を圧入し、連結パッキン３２をランプ１３の略中間部に位置させる。
【００２６】
次に、第１パイプ３０、第２パイプ３１の一方側の端部の内側にパッキン３３を圧入し、係止突部３９を第１、第２パイプ３０、３１の端面に当接して位置決めするとともに、外周面部３５ｂを第１、第２パイプ３０、３１の内側に面状に密着させた状態にする。
【００２７】
そして、このように形成された第１パイプ３０のパッキン３３が設けられていない端部３０ｂ側の開口からランプ１３の一方の端部を挿入するとともに、連結パッキン３２の第１収納部４０内に第1パイプ３０の端部３０ｂを挿入する。そして、第1収納部４０内に挿入された端部３０ｂの外周面３０ａは、第1収納部４０の内壁と摺動するとともに連結パッキン３２の中間凸部４２の端面に当接して位置決めされる。
【００２８】
さらに、第２パイプ３１においても、第１パイプ３０と同様に、パッキン３３が設けられていない端部３１ｂ側の開口からランプ１３の他方の端部を挿入するとともに、連結パッキン３２の第２収納部４１内に第２パイプ３１の端部３１ｂを挿入する。そして、第２収納部４１内に挿入された端部３１ｂの外周面３１ａは、第２収納部４１の内壁と摺動するとともに連結パッキン３２の中間凸部４２の端面に当接して位置決めされる。
【００２９】
このように保護部材１５およびランプ１３とを取り付けることで、ランプの両端のキャップ３３の内側突部３６および連結パッキン３２の中間凸部４２が発光管２２に線状に当
【００３０】
接し、発光管２２に全周同様の所定の間隔で第１、第２パイプ３０、３１が対向する状態となる。
【００３１】
そして、この保護部材１５を組み合わせたランプ１３を、相対向するソケット１８のソケット本体１９間に装着し、キャップ部２０を締め付けることにより、器具本体１２にランプ１３及び保護部材１５が取り付けられる
【００３２】
この状態で、ランプ１３が第１、第２パイプ３０，３１及びソケット１８により略液密に覆われ、防水すなわち防湿及び防雨の効果を奏するとともに、外気や空調の風が直接にランプ１３に当たらず、保温の効果を奏する。
【００３３】
本実施形態によれば、上記構成の連結パッキン３２を設けたことにより、ランプ１３が長尺のものであっても、第１パイプ３０および第２パイプ３１をランプ１３の異なる端部方向から別々にランプ１３に設けることができるので、保護部材１５の取付作業が低下することを抑制することができる。特に、このような取付作業を一人の作業者が行う場合であっても作業効率を低下させないので、大変有益なものとなる。
【００３４】
さらに、連結パッキン３２は第１収納部４０、第２パイプ３１の外周面３１ａが当接する第２収納部４１およびランプ１３の外周部と当接ないし近接する中間凸部４２とを設けたことにより、第１、第２パイプ３０，３１が長尺のものでなくてもよく、保護部材１５の第１、第２パイプ３０，３１が下方へ撓むことを抑制している。また、このような保護部材１５の構成にすることで、ランプ１３が長尺であってもランプ１３と第１、第２パイプ３０，３１との間の空間を保持しつつ、ランプ１３に第１、第２パイプ３０，３１の撓みによる過負荷を防止することができる。
【００３５】
また、キャップ３３においても、第１、第２パイプ３０，３１の内側に圧入されて外周面部３５ｂが第１、第２パイプ３０，３１の内面に面状に密着して強固に取り付けられるとともに、内周面部３５ａから突設した内側突部３６のみが線状にランプ１３の発光管２２に密着するため、ランプ１３とキャップ３３との摩擦抵抗よりも、第１、第２パイプ３０，３１とキャップ３３の摩擦抵抗の方が大きくなるとともに、キャップ３３がランプ１３に引っ掛かることがない。そこで、キャップ３３を取り付けた第１、第２パイプ３０，３１にランプ１３を挿入する際に、ランプ１３がキャップ３３に対して円滑に摺動するとともに、キャップ３３の位置がずれたり外れたりすることを抑制でき、ランプ１３の脱着の作業性を向上できる。
【００３６】
なお、上記の実施形態では、ソケット１８として、キャップ部２０などを有する防水ソケットについて説明したが、この構成に限られず、キャップ部などを備えない通常のソケットを用いることもできる。この構成は、例えば、空調装置の送風により冷却されやすい蛍光ランプの保温について有効である。
【図面の簡単な説明】
【００３７】
【図１】実施形態の照明装置を示す斜視図
【図２】図１の照明装置の一部を切り欠いた状態を示す側面図
【図３】図１の連結パッキン、第１・２パイプおよびランプを示す要部拡大図
【図４】図１の連結パッキンを示す断面図
【図５】図１のパッキンを示す断面図
【符号の説明】
【００３８】
１１・・・照明装置、１２・・・器具本体、１３・・・ランプ第１パイプ・・・３０、第２パイプ・・・３１、連結パッキン・・・３２、３３・・・パッキン
【図１】
2005056773.tif 000003
【図２】
2005056773.tif 000004
【図３】
2005056773.tif 000005
【図４】
2005056773.tif 000006
【図５】
2005056773.tif 000007